(57)【要約】【課題】雑音指数の劣化又はサンプリングジッタの影響を軽減し、且つ、帯域通過フィルタの設計を容易にすると共に、サンプリング周波数Ｆsを低く設定することができるアンダーサンプリングを用いた受信機、プログラム及び方法を提供する。【解決手段】第１のＲＦ帯域を、第１の局部発振周波数ＦLO1を用いて第１のＩＦ帯域ＦIF1に変換する第１の周波数変換手段と、第２のＲＦ帯域を、第２の局部発振周波数ＦLO2を用いて第２のＩＦ帯域ＦIF2に変換する第２の周波数変換手段と、第１のＩＦ帯域ＦIF1と第２のＩＦ帯域ＦIF2とを加算したＩＦ信号を、アンダーサンプリングによってサンプリング周波数Ｆsで一括して標本化したベースバンド信号を出力するＡ／Ｄ変換器と、サンプリング周波数Ｆsに基づいて、システム帯域の所望信号に応じて算出した第１の局部発振周波数ＦLO1と第２の局部発振周波数ＦLO2とを指示するプロセッサ手段とを有する。【選択図】図３
2010011375.tif 000002
【特許請求の範囲】
【請求項１】
２つのシステム帯域を含むＲＦ(Radio Frequency)信号を受信するアンテナを有する受信機であって、
前記ＲＦ信号に含まれる第１のＲＦ帯域を、第１の局部周波数発振器から出力される第１の局部発振周波数ＦLO1を用いて、第１のＩＦ(Intermediate Frequency)帯域ＦIF1に変換する第１の周波数変換手段と、
前記ＲＦ信号に含まれる第２のＲＦ帯域を、第２の局部周波数発振器から出力される第２の局部発振周波数ＦLO2を用いて、第２のＩＦ帯域ＦIF2に変換する第２の周波数変換手段と、
第１のＩＦ帯域ＦIF1及び第２のＩＦ帯域ＦIF2を加算したＩＦ信号を、アンダーサンプリングによって１つのサンプリング周波数Ｆsで一括して標本化したＢＢ(Base Band)信号を出力するＡ／Ｄ変換器と、
前記サンプリング周波数Ｆsに基づいて、システム帯域同士又は所望信号同士が周波数領域で干渉しないように算出した第１の局部発振周波数ＦLO1及び第２の局部発振周波数ＦLO2をそれぞれ、第１の局部周波数発振器及び第２の局部周波数発振器へ指示するプロセッサ手段と
を有することを特徴とする受信機。
【請求項２】
前記プロセッサ手段は、
第１のＲＦ帯域又は所望信号の中心周波数ＦR1及び帯域幅Ｂ1と、第２のＲＦ帯域又は所望信号の中心周波数ＦR2及び帯域幅Ｂ2とを初期値とし、システム帯域同士又は所望信号同士が周波数領域で干渉しないように、第１のＢＢ帯域又は所望信号の中心周波数ＦBB1、第２のＢＢ帯域又は所望信号の中心周波数ＦBB2及びサンプリング周波数Ｆsを任意に選択し、
アンダーサンプリングにおける第１のＢＢ帯域又は所望信号の折り返し回数Ｎ1と、第２のＢＢ帯域又は所望信号の折り返し回数Ｎ2とを規定することによって、又は、前記局部周波数発振器の局部発振周波数を制御することによって、
ＦL01＝ＦR1±｛（Ｎ1＋１）／２×Ｆs-ＦBB1｝  （Ｎ1 mod ２ ≠ ０）
ＦR1±｛Ｎ1／２×Ｆs＋ＦBB1｝          （Ｎ1 mod ２ ＝ ０）
ＦL02＝ＦR2±｛（Ｎ2＋１）／２×Ｆs-ＦBB2｝  （Ｎ2 mod ２ ≠ ０）
ＦR2±｛Ｎ2／２×Ｆs＋ＦBB2｝          （Ｎ2 mod ２ ＝ ０）
によって第１の局部発振周波数ＦL01及び第２の局部発振周波数ＦL02を算出する
ことを特徴とする請求項１に記載の受信機。
【請求項３】
前記プロセッサ手段は、
第１のＲＦ帯域の中心周波数ＦR1及び帯域幅Ｂ1と、第２のＲＦ帯域の中心周波数ＦR2及び帯域幅Ｂ2とを初期値とし、
ＦBB1−Ｂ1／２  ＞  ０
ＦBB1＋Ｂ1／２  ＜  ＦBB2−Ｂ2／２
ＦBB2＋Ｂ2／２  ＜  Ｆs／２
又は
ＦBB2−Ｂ2／２  ＞  ０
ＦBB2＋Ｂ2／２  ＜  ＦBB1−Ｂ1／２
ＦBB1＋Ｂ1／２  ＜  Ｆs／２
の条件値を満たす、第１のＢＢ帯域の中心周波数ＦBB1、第２のＢＢ帯域の中心周波数ＦBB2及びサンプリング周波数Ｆsを任意に選択することを特徴とする請求項２に記載の受信機。
【請求項４】
前記プロセッサ手段は、
第１のＲＦ所望信号の中心周波数ＦRch1及び帯域幅Ｂch1と、第２のＲＦ所望信号の中心周波数ＦRch2及び帯域幅Ｂch2とを初期値とし、
Ｆs／２−（ＦBBch1＋Ｂch1／２）  ＞  （ＦBBch1＋Ｂ1／２）−Ｆs／２
（ＦBBch1−Ｂch1／２）  ＞  −（ＦBB1−Ｂ1／２）
Ｆs／２−（ＦBBch2＋Ｂch2／２）  ＞  （ＦBBch2＋Ｂ2／２）−Ｆs／２
（ＦBBch2−Ｂch2／２）  ＞  −（ＦBB2−Ｂ2／２）
｜ＦBBch2−ＦBB1｜  ＜  Ｂch2/2＋Ｂ1/2
｜ＦBBch1−ＦBB2｜  ＜  Ｂch1/2＋Ｂ2/2
の条件値を満たす、第１のＢＢ帯域の中心周波数ＦBB1、第２のＢＢ帯域の中心周波数ＦBB2及びサンプリング周波数Ｆsを任意に選択することを特徴とする請求項２に記載の受信機。
【請求項５】
前記プロセッサ手段は、第１のＩＦ帯域の所望信号の中心周波数ＦIF1と第２のＩＦ帯域の所望信号の中心周波数ＦIF2との間の周波数間隔が、第１のＲＦ帯域の所望信号の中心周波数ＦR1と第２のＲＦ帯域の所望信号の中心周波数ＦR2との間の周波数間隔よりも小さくなるように選択することを特徴とする請求項１から４のいずれか１項に記載の受信機。
【請求項６】
第１の周波数変換手段は、
前記ＲＦ信号に含まれる第１のＲＦ帯域ＦR1を抽出する第１のＲＦ帯域通過フィルタと、
第１の局部周波数発振器から出力される第１の局部発振周波数ＦLO1を用いて、第１のＲＦ帯域ＦR1を第１のＩＦ信号に変換する第１のミキサと、
第１のＩＦ信号から、第１のＩＦ帯域ＦIF1を抽出する第１のＩＦ帯域通過フィルタとを有し、
第２の周波数変換手段は、
前記ＲＦ信号に含まれる第２のＲＦ帯域ＦR2を抽出する第２のＲＦ帯域通過フィルタと、
第２の局部周波数発振器から出力される第２の局部発振周波数ＦLO2を用いて、第２のＲＦ帯域ＦR2を第２のＩＦ信号に変換する第２のミキサと、
第２のＩＦ信号から、第２のＩＦ帯域IF2を抽出する第２のＩＦ帯域通過フィルタとを有することを特徴とする請求項１から５のいずれか１項に記載の受信機。
【請求項７】
２つのシステム帯域を含むＲＦ信号を受信するアンテナと、
前記ＲＦ信号に含まれる第１のＲＦ帯域を、第１の局部周波数発振器から出力される第１の局部発振周波数ＦLO1を用いて、第１のＩＦ帯域ＦIF1に変換する第１の周波数変換手段と、
前記ＲＦ信号に含まれる第２のＲＦ帯域を、第２の局部周波数発振器から出力される第２の局部発振周波数ＦLO2を用いて、第２のＩＦ帯域ＦIF2に変換する第２の周波数変換手段と、
第１のＩＦ帯域ＦIF1及び第２のＩＦ帯域ＦIF2を加算したＩＦ信号を、アンダーサンプリングによって１つのサンプリング周波数Ｆsで一括して標本化したＢＢ信号を出力するＡ／Ｄ変換器と
を有する受信機に搭載されたコンピュータを機能させるプログラムであって、
第１のＲＦ帯域又は所望信号の中心周波数ＦR1及び帯域幅Ｂ1と、第２のＲＦ帯域又は所望信号の中心周波数ＦR2及び帯域幅Ｂ2とを初期値とする第１のステップと、
システム帯域同士又は所望信号同士が周波数領域で干渉しないように、第１のＢＢ帯域又は所望信号の中心周波数ＦBB1、第２のＢＢ帯域又は所望信号の中心周波数ＦBB2及びサンプリング周波数Ｆsを任意に選択する第２のステップと、
アンダーサンプリングにおける第１のＢＢ帯域又は所望信号の折り返し回数Ｎ1と、第２のＢＢ帯域又は所望信号の折り返し回数Ｎ2とを規定することによって、又は、前記局部周波数発振器の局部発振周波数を制御することによって、
ＦL01＝ＦR1±｛（Ｎ1＋１）／２×Ｆs-ＦBB1｝   （Ｎ1 mod ２ ≠ ０）
ＦR1±｛Ｎ1／２×Ｆs＋ＦBB1｝          （Ｎ1 mod ２ ＝ ０）
ＦL02＝ＦR2±｛（Ｎ2＋１）／２×Ｆs-ＦBB2｝   （Ｎ2 mod ２ ≠ ０）
ＦR2±｛Ｎ2／２×Ｆs＋ＦBB2｝          （Ｎ2 mod ２ ＝ ０）
によって第１の局部発振周波数ＦL01及び第２の局部発振周波数ＦL02を算出する第３のステップと
第１の局部発振周波数ＦLO1及び第２の局部発振周波数ＦLO2をそれぞれ、第１の局部周波数発振器及び第２の局部周波数発振器へ指示する第４のステップと
してコンピュータを実行させることを特徴とする受信機用のプログラム。
【請求項８】
２つのシステム帯域を含むＲＦ信号を受信するアンテナと、
前記ＲＦ信号に含まれる第１のＲＦ帯域を、第１の局部周波数発振器から出力される第１の局部発振周波数ＦLO1を用いて、第１のＩＦ帯域ＦIF1に変換する第１の周波数変換手段と、
前記ＲＦ信号に含まれる第２のＲＦ帯域を、第２の局部周波数発振器から出力される第２の局部発振周波数ＦLO2を用いて、第２のＩＦ帯域ＦIF2に変換する第２の周波数変換手段と、
第１のＩＦ帯域ＦIF1及び第２のＩＦ帯域ＦIF2を加算したＩＦ信号を、アンダーサンプリングによって１つのサンプリング周波数Ｆsで一括して標本化したＢＢ信号を出力するＡ／Ｄ変換器と
を有する受信機におけるアンダーサンプリング方法であって、
第１のＲＦ帯域又は所望信号の中心周波数ＦR1及び帯域幅Ｂ1と、第２のＲＦ帯域又は所望信号の中心周波数ＦR2及び帯域幅Ｂ2とを初期値とする第１のステップと、
システム帯域同士又は所望信号同士が周波数領域で干渉しないように、第１のＢＢ帯域又は所望信号の中心周波数ＦBB1、第２のＢＢ帯域又は所望信号の中心周波数ＦBB2及びサンプリング周波数Ｆsを任意に選択する第２のステップと、
アンダーサンプリングにおける第１のＢＢ帯域又は所望信号の折り返し回数Ｎ1と、第２のＢＢ帯域又は所望信号の折り返し回数Ｎ2とを規定することによって、又は、前記局部周波数発振器の局部発振周波数を制御することによって、
ＦL01＝ＦR1±｛（Ｎ1＋１）／２×Ｆs-ＦBB1｝  （Ｎ1 mod ２ ≠ ０）
ＦR1±｛Ｎ1／２×Ｆs＋ＦBB1｝          （Ｎ1 mod ２ ＝ ０）
ＦL02＝ＦR2±｛（Ｎ2＋１）／２×Ｆs-ＦBB2｝  （Ｎ2 mod ２ ≠ ０）
ＦR2±｛Ｎ2／２×Ｆs＋ＦBB2｝          （Ｎ2 mod ２ ＝ ０）
によって第１の局部発振周波数ＦL01及び第２の局部発振周波数ＦL02を算出する第３のステップと
第１の局部発振周波数ＦLO1及び第２の局部発振周波数ＦLO2をそれぞれ、第１の局部周波数発振器及び第２の局部周波数発振器へ指示する第４のステップと
を有することを特徴とするアンダーサンプリング方法。
【発明の詳細な説明】
【技術分野】
【０００１】
本発明は、複数のシステム帯域を一括して標本化するアンダーサンプリングを用いた受信機、プログラム及び方法に関する。
【背景技術】
【０００２】
図１は、従来技術における受信機の機能構成図である。
【０００３】
図１（ａ）によれば、２つのシステム帯域を一括してサンプリングする受信機１が表されている（例えば特許文献１参照）。２つのアンテナ１０１によって受信された各ＲＦ(Radio Frequency)信号は、システム帯域毎の帯域通過フィルタ（ＢＰＦ：Band Path Filter）１０２によって、不要な周波数成分が除去される。次に、その信号は、低雑音増幅器（ＬＮＡ：Low Noise Amplifier）１０３によって増幅される。増幅された２つのＲＦ信号は、加算器で加算され、Ａ／Ｄ変換器１０４に入力される。Ａ／Ｄ変換器１０４は、アンダーサンプリングによって一括して周波数変換を実行する。Ａ／Ｄ変換器１０４のサンプリング周波数Ｆsは、サンプリングクロック生成部１０５から出力される。サンプリング周波数Ｆsは、プロセッサ部（ＣＰＵ）１００の指示に基づくものであって、アンダーサンプリング後の全ての所望信号のスペクトルが、互いに重ならないように適切に選択される。Ａ／Ｄ変換器１０４から出力されたデジタル信号は、例えばＦＦＴ（高速フーリエ変換）によって復調される場合もある。
【０００４】
図１（ｂ）によれば、破線によって、従来技術における他の実施形態が表されている。この実施形態によれば、低雑音増幅器１０３によって増幅されたＲＦ帯域毎に、局部周波数発振器１１１から出力された局部発振周波数に応じて、ミキサ１１２によって周波数を低く抑えたＬｏｗ−ＩＦ（Intermediate Frequency、中間周波数）帯域に変換される。ここで、システム帯域の所望信号毎に、異なる局部発振周波数を設定することによって、所望信号が互いに重ならないようする。低域の所望信号を含むＬｏｗ−ＩＦ帯域の信号は低域通過フィルタ１１３によって、及び、高域の所望信号を含むＬｏｗ−ＩＦ帯域の信号は帯域通過フィルタ１１４によって、不要な周波数成分が除去される。２つのＩＦ帯域の信号は、加算器によって加算され、その後、Ａ／Ｄ変換器によって一括してオーバーサンプリングされる。
【０００５】
「アンダーサンプリング」とは、受信信号をナイキスト周波数よりも低い周波数でサンプリングすることにより、意図的にエイリアシングイメージを発生させ、高周波数搬送波を低周波数に変換する方法をいう（例えば非特許文献１参照）。サンプリング周波数が低いので、受信機の処理能力を比較的低くできるが、折り返し雑音の影響を軽減するために、高性能のノイズ除去フィルタが必要となる。逆に、「オーバーサンプリング」とは、受信信号をナイキスト周波数よりも高い周波数でサンプリングする方法をいう。サンプリング周波数が高いので、ノイズ除去のためのフィルタの設計を簡単にできるが、受信機に対して高い処理能力が要求される。
【０００６】
図２は、アンダーサンプリングを用いた場合における周波数成分のイメージ図である。
【０００７】
図２によれば、横軸が周波数を表している。アンダーサンプリング周波数Ｆsを用いて標本化することによって、周波数Ｆs／２以下の低い周波数帯にエイリアシングが発生する。
【０００８】
以下のような関数を定義し、アンダーサンプリング時のサンプリング周波数Ｆsに対して、以下のベースバンド信号ＦBBが導出される。
Ｎ＝fix(Ｆc／(Ｆs／２))
Ｎ＝fix(a)：aの小数点以下を切り捨てる関数
rem(a,b)  ：aをbで割った余りを得る関数
Ｎが偶数である場合、ＦBB＝rem(Ｆc，Ｆs)
＝Ｆc−Ｎ×（Ｆs／２）
Ｎが奇数である場合、ＦBB＝Ｆs−rem(Ｆc，Ｆs)
＝（Ｎ＋１）×Ｆｓ／２−Ｆc
【０００９】
図２（ａ）は、周波数信号の折り返しが、サンプリング周波数の半分（Ｆs／２）毎に生じていることを表す。ここでは、折り返し回数は、６回である。前述の式によって、システム帯域の中心周波数Ｆcが折り返される回数Ｎを、Ｆc／（Ｆs／２）によって算出する。算出された値は、fix()によって小数点以下が切り捨てられる。前述の式によって得られた値Ｎの偶数／奇数に応じて、エイリアシングシステム帯域のイメージの位置が異なる。尚、エイリアシングシステム帯域のイメージの向きは、局部発振周波数によっても変更することができる。例えば、帯域通過フィルタの通過帯域が狭い場合、折り返し回数を１回増加させただけでも、フィルタの通過帯域から外れてしまう可能性もあるために、場合によっては、局部発振器の制御によってスペクトルの向きを変更させる必要もある。
【００１０】
図２（ｂ）は、折り返し回数Ｎが偶数であった場合における、Ｆs／２以下に折り返されたエイリアシングシステム帯域を表す。
【００１１】
図２（ｃ）は、折り返し回数Ｎが奇数であった場合における、Ｆs／２以下に折り返されたエイリアシングシステム帯域を表す。
【００１２】
アンダーサンプリングを用いた技術として、複数の無線システム帯域についてシステム帯域毎に標本化する際に、できる限り低いサンプリング周波数を探索することができるサンプリング周波数探索方法及びプログラムの技術がある（例えば特許文献２及び特許文献３参照）。この技術によれば、できる限り低いサンプリング周波数Ｆsを探索することができるので、高速なＡ／Ｄ変換器を必要とせず、デジタル信号処理のためのデータ量も削減でき、更には消費電力の低減をもたらす。
【００１３】
また、アンダーサンプリングを用いて、同時に受信した複数のＲＦ信号が、標本化後に互いに重なり合うことのないサンプリング周波数範囲を算出する技術もある（例えば非特許文献２参照）。この技術は、各ＲＦ信号の標本化により生じる折り返しの位置関係によって場合分けをし、アンダーサンプリング数とＲＦ信号の周波数とから、利用可能なサンプリング周波数を算出している。
【００１４】
【特許文献１】特開２００１−２７４７１４号公報
【特許文献２】特開２００１−３３５９１４号公報
【特許文献３】特開２００６−１８０３７３号公報
【非特許文献１】Dennis M. Akos, Michael Stockmaster, JamesB. Y. Tsui and Joe Caschera 「Direct Bandpass Sampling of Multiple Distinct RＦSignals」、IEEE Transactions on communications、vol.47、No.7、July 1999、pp.983-988
【非特許文献２】Ching-Hsiang Tseng and Sun-Chung Chou,"DirectDownconversion of Multiband RF Signals Using BandpassSampling," IEEE Trans.Commun., vol.5, no.1, Jan. 2006.
【発明の開示】
【発明が解決しようとする課題】
【００１５】
特許文献１に記載された技術によれば、ＲＦ信号を直接的にアンダーサンプリングしている。そのため、所望信号の周波数帯域が高い場合、雑音指数(Noise Figure)の劣化又はサンプリングジッタの影響が顕著となる。雑音指数とは、入力信号ＳＮＲinと出力信号ＳＮＲoutとの比を、デシベル表記したものであって、ＮＦ＝１０ｌｏｇ10（ＳＮＲin／ＳＮＲout）によって表される。入力信号と出力信号とのＳＮＲの差が大きい（雑音の影響を大きく受ける）ほど、雑音指数ＮＦが劣化する（ＮＦ値が大きくなる）。
【００１６】
また、所望信号の周波数配置によっては、サンプリング周波数Ｆsを高く設定する必要があり、Ａ／Ｄ変換器における消費電力が増加する。
【００１７】
また、特許文献２に記載された技術によれば、変換されたＬｏｗ−ＩＦ帯域の信号に対して、不要な周波数成分を除去する帯域通過フィルタが必要となるが、Ｌｏｗ−ＩＦ帯域のような低い周波数帯域について、不要成分を減衰可能とする急嵯な帯域通過フィルタを実現することは困難である。
【００１８】
そこで、本発明は、雑音指数の劣化又はサンプリングジッタの影響を軽減し、且つ、帯域通過フィルタの設計を容易にすると共に、サンプリング周波数Ｆsを低く設定することができるアンダーサンプリングを用いた受信機、プログラム及び方法を提供することを目的とする。
【課題を解決するための手段】
【００１９】
本発明によれば、２つのシステム帯域を含むＲＦ(Radio Frequency)信号を受信するアンテナを有する受信機であって、
ＲＦ信号に含まれる第１のＲＦ帯域を、第１の局部周波数発振器から出力される第１の局部発振周波数ＦLO1を用いて、第１のＩＦ(Intermediate Frequency)帯域ＦIF1に変換する第１の周波数変換手段と、
ＲＦ信号に含まれる第２のＲＦ帯域を、第２の局部周波数発振器から出力される第２の局部発振周波数ＦLO2を用いて、第２のＩＦ帯域ＦIF2に変換する第２の周波数変換手段と、
第１のＩＦ帯域ＦIF1及び第２のＩＦ帯域ＦIF2を加算したＩＦ信号を、アンダーサンプリングによって１つのサンプリング周波数Ｆsで一括して標本化したＢＢ(Base Band)信号を出力するＡ／Ｄ変換器と、
サンプリング周波数Ｆsに基づいて、システム帯域同士又は所望信号同士が周波数領域で干渉しないように算出した第１の局部発振周波数ＦLO1及び第２の局部発振周波数ＦLO2をそれぞれ、第１の局部周波数発振器及び第２の局部周波数発振器へ指示するプロセッサ手段と
を有することを特徴とする。
【００２０】
本発明の受信機における他の実施形態によれば、プロセッサ手段は、
第１のＲＦ帯域又は所望信号の中心周波数ＦR1及び帯域幅Ｂ1と、第２のＲＦ帯域又は所望信号の中心周波数ＦR2及び帯域幅Ｂ2とを初期値とし、システム帯域同士又は所望信号同士が周波数領域で干渉しないように、第１のＢＢ帯域又は所望信号の中心周波数ＦBB1、第２のＢＢ帯域又は所望信号の中心周波数ＦBB2及びサンプリング周波数Ｆsを任意に選択し、
アンダーサンプリングにおける第１のＢＢ帯域又は所望信号の折り返し回数Ｎ1と、第２のＢＢ帯域又は所望信号の折り返し回数Ｎ2とを規定することによって、又は、局部周波数発振器の局部発振周波数を制御することによって、
ＦL01＝ＦR1±｛（Ｎ1＋１）／２×Ｆs-ＦBB1｝  （Ｎ1 mod ２ ≠ ０）
ＦR1±｛Ｎ1／２×Ｆs＋ＦBB1｝          （Ｎ1 mod ２ ＝ ０）
ＦL02＝ＦR2±｛（Ｎ2＋１）／２×Ｆs-ＦBB2｝  （Ｎ2 mod ２ ≠ ０）
ＦR2±｛Ｎ2／２×Ｆs＋ＦBB2｝          （Ｎ2 mod ２ ＝ ０）
によって第１の局部発振周波数ＦL01及び第２の局部発振周波数ＦL02を算出することも好ましい。
【００２１】
本発明の受信機における他の実施形態によれば、プロセッサ手段は、
第１のＲＦ帯域の中心周波数ＦR1及び帯域幅Ｂ1と、第２のＲＦ帯域の中心周波数ＦR2及び帯域幅Ｂ2とを初期値とし、
ＦBB1−Ｂ1／２  ＞  ０
ＦBB1＋Ｂ1／２  ＜  ＦBB2−Ｂ2／２
ＦBB2＋Ｂ2／２  ＜  Ｆs／２
又は
ＦBB2−Ｂ2／２  ＞  ０
ＦBB2＋Ｂ2／２  ＜  ＦBB1−Ｂ1／２
ＦBB1＋Ｂ1／２  ＜  Ｆs／２
の条件値を満たす、第１のＢＢ帯域の中心周波数ＦBB1、第２のＢＢ帯域の中心周波数ＦBB2及びサンプリング周波数Ｆsを任意に選択することも好ましい。
【００２２】
本発明の受信機における他の実施形態によれば、プロセッサ手段は、
第１のＲＦ所望信号の中心周波数ＦRch1及び帯域幅Ｂch1と、第２のＲＦ所望信号の中心周波数ＦRch2及び帯域幅Ｂch2とを初期値とし、
Ｆs／２−（ＦBBch1＋Ｂch1／２）  ＞  （ＦBBch1＋Ｂ1／２）−Ｆs／２
（ＦBBch1−Ｂch1／２）  ＞  −（ＦBB1−Ｂ1／２）
Ｆs／２−（ＦBBch2＋Ｂch2／２）  ＞  （ＦBBch2＋Ｂ2／２）−Ｆs／２
（ＦBBch2−Ｂch2／２）  ＞  −（ＦBB2−Ｂ2／２）
｜ＦBBch2−ＦBB1｜  ＜  Ｂch2/2＋Ｂ1/2
｜ＦBBch1−ＦBB2｜  ＜  Ｂch1/2＋Ｂ2/2
の条件値を満たす、第１のＢＢ帯域の中心周波数ＦBB1、第２のＢＢ帯域の中心周波数ＦBB2及びサンプリング周波数Ｆsを任意に選択することも好ましい。
【００２３】
本発明の受信機における他の実施形態によれば、プロセッサ手段は、第１のＩＦ帯域の所望信号の中心周波数ＦIF1と第２のＩＦ帯域の所望信号の中心周波数ＦIF2との間の周波数間隔が、第１のＲＦ帯域の所望信号の中心周波数ＦR1と第２のＲＦ帯域の所望信号の中心周波数ＦR2との間の周波数間隔よりも小さくなるように選択することも好ましい。
【００２４】
本発明の受信機における他の実施形態によれば、
第１の周波数変換手段は、
ＲＦ信号に含まれる第１のＲＦ帯域ＦR1を抽出する第１のＲＦ帯域通過フィルタと、
第１の局部周波数発振器から出力される第１の局部発振周波数ＦLO1を用いて、第１のＲＦ帯域ＦR1を第１のＩＦ信号に変換する第１のミキサと、
第１のＩＦ信号から、第１のＩＦ帯域ＦIF1を抽出する第１のＩＦ帯域通過フィルタとを有し、
第２の周波数変換手段は、
ＲＦ信号に含まれる第２のＲＦ帯域ＦR2を抽出する第２のＲＦ帯域通過フィルタと、
第２の局部周波数発振器から出力される第２の局部発振周波数ＦLO2を用いて、第２のＲＦ帯域ＦR2を第２のＩＦ信号に変換する第２のミキサと、
第２のＩＦ信号から、第２のＩＦ帯域IF2を抽出する第２のＩＦ帯域通過フィルタとを有することも好ましい。
【００２５】
本発明によれば、
２つのシステム帯域を含むＲＦ信号を受信するアンテナと、
ＲＦ信号に含まれる第１のＲＦ帯域を、第１の局部周波数発振器から出力される第１の局部発振周波数ＦLO1を用いて、第１のＩＦ帯域ＦIF1に変換する第１の周波数変換手段と、
ＲＦ信号に含まれる第２のＲＦ帯域を、第２の局部周波数発振器から出力される第２の局部発振周波数ＦLO2を用いて、第２のＩＦ帯域ＦIF2に変換する第２の周波数変換手段と、
第１のＩＦ帯域ＦIF1及び第２のＩＦ帯域ＦIF2を加算したＩＦ信号を、アンダーサンプリングによって１つのサンプリング周波数Ｆsで一括して標本化したＢＢ信号を出力するＡ／Ｄ変換器と
を有する受信機に搭載されたコンピュータを機能させるプログラムであって、
第１のＲＦ帯域又は所望信号の中心周波数ＦR1及び帯域幅Ｂ1と、第２のＲＦ帯域又は所望信号の中心周波数ＦR2及び帯域幅Ｂ2とを初期値とする第１のステップと、
システム帯域同士又は所望信号同士が周波数領域で干渉しないように、第１のＢＢ帯域又は所望信号の中心周波数ＦBB1、第２のＢＢ帯域又は所望信号の中心周波数ＦBB2及びサンプリング周波数Ｆsを任意に選択する第２のステップと、
アンダーサンプリングにおける第１のＢＢ帯域又は所望信号の折り返し回数Ｎ1と、第２のＢＢ帯域又は所望信号の折り返し回数Ｎ2とを規定することによって、又は、局部周波数発振器の局部発振周波数を制御することによって、
ＦL01＝ＦR1±｛（Ｎ1＋１）／２×Ｆs-ＦBB1｝  （Ｎ1 mod ２ ≠ ０）
ＦR1±｛Ｎ1／２×Ｆs＋ＦBB1｝          （Ｎ1 mod ２ ＝ ０）
ＦL02＝ＦR2±｛（Ｎ2＋１）／２×Ｆs-ＦBB2｝  （Ｎ2 mod ２ ≠ ０）
ＦR2±｛Ｎ2／２×Ｆs＋ＦBB2｝          （Ｎ2 mod ２ ＝ ０）
によって第１の局部発振周波数ＦL01及び第２の局部発振周波数ＦL02を算出する第３のステップと
第１の局部発振周波数ＦLO1及び第２の局部発振周波数ＦLO2をそれぞれ、第１の局部周波数発振器及び第２の局部周波数発振器へ指示する第４のステップと
してコンピュータを実行させることを特徴とする。
【００２６】
本発明によれば、
２つのシステム帯域を含むＲＦ信号を受信するアンテナと、
ＲＦ信号に含まれる第１のＲＦ帯域を、第１の局部周波数発振器から出力される第１の局部発振周波数ＦLO1を用いて、第１のＩＦ帯域ＦIF1に変換する第１の周波数変換手段と、
ＲＦ信号に含まれる第２のＲＦ帯域を、第２の局部周波数発振器から出力される第２の局部発振周波数ＦLO2を用いて、第２のＩＦ帯域ＦIF2に変換する第２の周波数変換手段と、
第１のＩＦ帯域ＦIF1及び第２のＩＦ帯域ＦIF2を加算したＩＦ信号を、アンダーサンプリングによって１つのサンプリング周波数Ｆsで一括して標本化したＢＢ信号を出力するＡ／Ｄ変換器と
を有する受信機におけるアンダーサンプリング方法であって、
第１のＲＦ帯域又は所望信号の中心周波数ＦR1及び帯域幅Ｂ1と、第２のＲＦ帯域又は所望信号の中心周波数ＦR2及び帯域幅Ｂ2とを初期値とする第１のステップと、
システム帯域同士又は所望信号同士が周波数領域で干渉しないように、第１のＢＢ帯域又は所望信号の中心周波数ＦBB1、第２のＢＢ帯域又は所望信号の中心周波数ＦBB2及びサンプリング周波数Ｆsを任意に選択する第２のステップと、
アンダーサンプリングにおける第１のＢＢ帯域又は所望信号の折り返し回数Ｎ1と、第２のＢＢ帯域又は所望信号の折り返し回数Ｎ2とを規定することによって、又は、局部周波数発振器の局部発振周波数を制御することによって、
ＦL01＝ＦR1±｛（Ｎ1＋１）／２×Ｆs-ＦBB1｝  （Ｎ1 mod ２ ≠ ０）
ＦR1±｛Ｎ1／２×Ｆs＋ＦBB1｝          （Ｎ1 mod ２ ＝ ０）
ＦL02＝ＦR2±｛（Ｎ2＋１）／２×Ｆs-ＦBB2｝  （Ｎ2 mod ２ ≠ ０）
ＦR2±｛Ｎ2／２×Ｆs＋ＦBB2｝          （Ｎ2 mod ２ ＝ ０）
によって第１の局部発振周波数ＦL01及び第２の局部発振周波数ＦL02を算出する第３のステップと
第１の局部発振周波数ＦLO1及び第２の局部発振周波数ＦLO2をそれぞれ、第１の局部周波数発振器及び第２の局部周波数発振器へ指示する第４のステップと
を有することを特徴とする。
【発明の効果】
【００２７】
本発明の受信機、プログラム及び方法によれば、ＲＦ帯域をＩＦ帯域へ周波数変換し、そのＩＦ帯域をアンダーサンプリングすることによって、雑音指数の劣化又はサンプリングジッタの影響を軽減すると共に、ＩＦ帯域の信号に対する帯域通過フィルタの設計が容易となる。また、ＩＦ帯域へ周波数変換する際の局部発振周波数を制御することによって、アンダーサンプリング後の複数の所望信号が互いに重なることのない低いサンプリング周波数Ｆsを導出することができる。
【発明を実施するための最良の形態】
【００２８】
以下では、図面を用いて、本発明を実施するための最良の形態について詳細に説明する。
【００２９】
図３は、本発明における受信機の機能構成図である。
【００３０】
図３によれば、図１（ａ）と比較して、第１の周波数変換部２１０及び第２の周波数変換部２２０を有する。第１の周波数変換部２１０及び第２の周波数変換部２２０は、ＲＦ帯域をＩＦ帯域へ周波数変換するものであって、プロセッサ部２００からの制御に基づいて局部発振周波数を変更する。
【００３１】
第１の周波数変換部２１０は、ＲＦ信号に含まれる第１のＲＦ帯域を、第１の局部周波数発振器から出力される第１の局部発振周波数ＦLO1を用いて、第１のＩＦ帯域ＦIF1に変換する。ここで、第１の周波数変換部２１０は、第１の局部発振周波数ＦLO1を出力する第１の局部周波数発振器２１１と、第１の局部発振周波数ＦLO1を用いて、第１のＲＦ帯域ＦR1を第１のＩＦ信号に変換する第１のミキサ２１２と、第１のＩＦ信号から、第１のＩＦ帯域ＦIF1を抽出する第１のＩＦ帯域通過フィルタ２１３とを有する。
【００３２】
第２の周波数変換部２２０は、ＲＦ信号に含まれる第２のＲＦ帯域を、第２の局部周波数発振器から出力される第２の局部発振周波数ＦLO2を用いて、第２のＩＦ帯域ＦIF2に変換する。ここで、第２の周波数変換部２２０は、第２の局部発振周波数ＦLO2を出力する第２の局部周波数発振器２２１と、第２の局部発振周波数ＦLO2を用いて、第２のＲＦ帯域ＦR2を第２のＩＦ信号に変換する第２のミキサ２２２と、第２のＩＦ信号から、第２のＩＦ帯域IF2を抽出する第２のＩＦ帯域通過フィルタ２２３とを有する。
【００３３】
Ａ／Ｄ変換器１０４は、第１のＩＦ帯域ＦIF1と第２のＩＦ帯域ＦIF2とを加算したＩＦ信号を、アンダーサンプリングによって１つのサンプリング周波数Ｆsで一括して標本化したベースバンド信号を出力する。
【００３４】
プロセッサ部２００は、サンプリング周波数Ｆsに基づいて、システム帯域の所望信号に応じて算出した第１の局部発振周波数ＦLO1及び第２の局部発振周波数ＦLO2をそれぞれ、第１の局部周波数発振器及び第２の局部周波数発振器へ指示する。ここで、プロセッサ部２００は、第１の局部発振周波数ＦLO1及び第２の局部発振周波数ＦLO2を異なる値に設定し、アンダーサンプリング後のベースバンド信号が互いに重ならないようにする。即ち、本発明によれば、アンダーサンプリング後のベースバンド信号が互いに重ならないようにするために、サンプリング周波数Ｆsを変化させるのではなく、局部発振周波数ＦLO1及びＦLO2を変化させる。
【００３５】
図４は、システム帯域同士又は所望信号同士が重ならないようにしたＢＢ帯域の変移図である。
【００３６】
図４（ａ）は、システム帯域同士が重ならないようにしたＢＢ帯域の変移図である。アンダーサンプリングによって得られるベースバンド帯域に、第１のＢＢ帯域と第２のＢＢ帯域とが表されている。ここで、２つのＢＢ帯域が、互いに重ならないように収容されるには、以下の条件を満たす必要がある。
ＦBB1−Ｂ1／２  ＞  ０
ＦBB1＋Ｂ1／２  ＜  ＦBB2−Ｂ2／２
ＦBB2＋Ｂ2／２  ＜  Ｆs／２
又は
ＦBB2−Ｂ2／２  ＞  ０
ＦBB2＋Ｂ2／２  ＜  ＦBB1−Ｂ1／２
ＦBB1＋Ｂ1／２  ＜  Ｆs／２
ＦBB1：第１のＢＢ帯域の中心周波数
ＦBB2：第２のＢＢ帯域の中心周波数
Ｆs：サンプリング周波数
この条件値によれば、２つのシステム帯域が０〜Ｆs／２の間に収容され、且つ、２つのシステム帯域が互いに重ならない。ここで、この条件値を満たす第１のＢＢ帯域の中心周波数ＦBB1、第２のＢＢ帯域の中心周波数ＦBB2及びサンプリング周波数Ｆsを任意に選択する。
【００３７】
図４（ｂ）〜（ｄ）は、所望信号同士が重ならないようにしたＢＢ帯域の変移図である。図４（ｂ）は、周波数Ｆs／２におけるシステム帯域の折り返し信号が、所望信号に干渉しないようにすることを表している。図４（ｃ）は、周波数０におけるシステム帯域の折り返し信号が、所望信号に干渉しないようにすることを表している。図４（ｄ）は、第２の所望信号に、第１のシステム帯域が干渉しないようにすることを表している。
Ｆs／２−（ＦBBch1＋Ｂch1／２）  ＞  （ＦBBch1＋Ｂ1／２）−Ｆs／２
（ＦBBch1−Ｂch1／２）  ＞  −（ＦBB1−Ｂ1／２）
Ｆs／２−（ＦBBch2＋Ｂch2／２）  ＞  （ＦBBch2＋Ｂ2／２）−Ｆs／２
（ＦBBch2−Ｂch2／２）  ＞  −（ＦBB2−Ｂ2／２）
｜ＦBBch2−ＦBB1｜  ＜  Ｂch2/2＋Ｂ1/2
｜ＦBBch1−ＦBB2｜  ＜  Ｂch1/2＋Ｂ2/2
ＦBBch1：第１のＢＢ所望信号の中心周波数
ＦBBch2：第２のＢＢ所望信号の中心周波数
Ｆs：サンプリング周波数
これら条件値を満たす、第１のＢＢ帯域の中心周波数ＦBB1、第２のＢＢ帯域の中心周波数ＦBB2及びサンプリング周波数Ｆsを任意に選択する。
【００３８】
図５は、本発明における周波数成分の変移図である。
【００３９】
図５（ａ）によれば、高周波数帯に、第１のＲＦ帯域及び所望信号と第２のＲＦ帯域及び所望信号とが表されている。ここで、初期値として、所望信号毎の中心周波数及び帯域幅を、以下のように定義する。
［初期値］
ＦR1：第１のＲＦ帯域の中心周波数
Ｂ1：第１のＲＦ帯域の帯域幅
ＦR2：第２のＲＦ帯域の中心周波数
Ｂ2：第２のＲＦ帯域の帯域幅
【００４０】
次に、図５（ａ）によれば、前述した初期値と、図４の条件値とによって、第１の局部発振周波数ＦLO1及び第２の局部発振周波数ＦLO2は、以下の関係が成立する。
ＦIF1＝｜ＦR1−ＦLO1｜
ＦR1−ＦLO1＝±ＦIF1
ＦLO1＝ＦR1±ＦIF1
＝ＦR1±｛（Ｎ1＋１）／２×Ｆs−ＦBB1｝  （Ｎ1 mod ２ ≠ ０）
ＦR1±｛Ｎ1／２×Ｆs＋ＦBB1｝          （Ｎ1 mod ２ ＝ ０）
ＦIF2＝｜ＦR2−ＦLO2｜
ＦR2−ＦLO2＝±ＦIF2
ＦLO2＝ＦR2±ＦIF2
＝ＦR2±｛（Ｎ2＋１）／２×Ｆs−ＦBB2｝  （Ｎ2 mod ２ ≠ ０）
ＦR2±｛Ｎ2／２×Ｆs＋ＦBB2｝          （Ｎ2 mod ２ ＝ ０）
ＦIF1：第１のＩＦ帯域の中心周波数
ＦIF2：第２のＩＦ帯域の中心周波数
【００４１】
最後に、ＩＦ帯域に対して、一括でアンダーサンプリングを実行する。ＩＦ帯域の信号は、アンダーサンプリングによって、複数回、折り返されて、ベースバンド帯域の信号に周波数変換される。ここで、アンダーサンプリングについて、第１の所望信号の折り返し回数Ｎ１と、第２の所望信号の折り返し回数Ｎ２とを規定する。
【００４２】
ここで、ＩＦ帯域が、奇数回、折り返されて、ベースバンド帯域の所望信号に変換される場合、ＦIF1は、以下の式で算出される。
ＦIF1 ＝ （Ｎ1＋１）／２×Ｆｓ−ＦBB1  （Ｎ1 mod ２ ≠ ０）
また、ＩＦ帯域が、偶数回、折り返されて、ベースバンド帯域の所望信号に変換される場合、ＦIF1は、以下の式で算出される。
ＦIF1 ＝ Ｎ1／２×Ｆs＋ＦBB1            （Ｎ1 mod ２ ＝ ０）
【００４３】
ＦIF2、ＦBB2及びＮ2についても、前述の２つの式と同様の関係が成立する。
ＦIF2 ＝ （Ｎ2＋１）／２×Ｆｓ−ＦBB2  （Ｎ2 mod ２ ≠ ０） 
ＦIF2 ＝ Ｎ2／２×Ｆｓ＋ＦBB2          （Ｎ2 mod ２ ＝ ０）
【００４４】
前述した式によって、局部発振周波数ＦLO1及びＦLO2は、アンダーサンプリングにおける第１のＢＢ帯域又は所望信号の折り返し回数Ｎ1と、第２のＢＢ帯域又は所望信号の折り返し回数Ｎ2とを規定することによって、又は、局部周波数発振器の局部発振周波数を制御することによって、以下のように決定できる。
ＦL01＝ＦR1±｛（Ｎ1＋１）／２×Ｆs-ＦBB1｝   （Ｎ1 mod ２ ≠ ０）
ＦR1±｛Ｎ1／２×Ｆs＋ＦBB1｝          （Ｎ1 mod ２ ＝ ０）
ＦL02＝ＦR2±｛（Ｎ2＋１）／２×Ｆs-ＦBB1｝   （Ｎ2 mod ２ ≠ ０）
ＦR2±｛Ｎ2／２×Ｆs＋ＦBB2｝          （Ｎ2 mod ２ ＝ ０）
【００４５】
これら式によれば、ＦR1、ＦR2、ＦBB1、ＦBB2、Ｆs、Ｎ1、Ｎ2が設定されることによって、ＦLO1及びＦLO2が一意に算出される。このＦLO1及びＦLO2によって、ＲＦ帯域の複数の所望信号が互いに重ならないように、ベースバンド信号に変換することができる。
【００４６】
図５（ｂ）によれば、高周波数帯に、第１のＲＦ帯域及び所望信号と第２のＲＦ帯域及び所望信号とが表されている。ここで、初期値として、所望信号毎の中心周波数及び帯域幅を、以下のように定義する。
［初期値］
ＦR1：第１のＲＦ帯域の中心周波数
Ｂ1：第１のＲＦ帯域の帯域幅
ＦR2：第２のＲＦ帯域の中心周波数
Ｂ2：第２のＲＦ帯域の帯域幅
ＦRch1：第１のＲＦ所望信号の中心周波数
Ｂch1：第１のＲＦ所望信号の帯域幅
ＦRch2：第２のＲＦ所望信号の中心周波数
Ｂch2：第２のＲＦ所望信号の帯域幅
【００４７】
次に、図５（ｂ）によれば、前述した初期値と、図４の条件値とによって、第１の局部発振周波数ＦLO1及び第２の局部発振周波数ＦLO2は、以下の関係が成立する。
ＦIF1＝|ＦR1−ＦLO1|
ＦIF2＝|ＦR2−ＦLO2|
ＦIF1：第１のＩＦ帯域の中心周波数
ＦIF2：第２のＩＦ帯域の中心周波数
【００４８】
最後に、ＩＦ所望信号に対して、一括でアンダーサンプリングを実行する。前述した図５（ａ）の式と同様に、局部発振周波数ＦLO1及びＦLO2は、以下のように決定できる。
ＦL01＝ＦR1±ＦBB1−（Ｎ1＋１）／２×Ｆs  （Ｎ1 mod ２ ≠ ０）
ＦR1±ＦBB1−Ｎ1／２×Ｆs          （Ｎ1 mod ２ ＝ ０）
ＦL02＝ＦR2±ＦBB2−（Ｎ2＋１）／２×Ｆs  （Ｎ2 mod ２ ≠ ０）
ＦR2±ＦBB2−Ｎ2／２×Ｆs          （Ｎ2 mod ２ ＝ ０）
【００４９】
前述の式によれば、ＦR1、ＦR2、ＦBB1、ＦBB2、Ｆs、Ｎ1、Ｎ2が設定されることによって、ＦLO1及びＦLO2が一意に算出される。このＦLO1及びＦLO2によって、複数のＲＦ所望信号が互いに重ならないように、ベースバンド信号に変換することができる。また、上式における「±」の符号によってスペクトルの向きを制御できるため、所望信号の位置に応じて、所望信号同士が重ならないように自由にスペクトルの配置を制御することが可能となる。
【００５０】
所望チャネルが互いに重ならないように局部発振周波数を制御する場合、システムの中心周波数（ＦBB1，ＦBB2，ＦIF1ＦIF2）を基準とする。システムの中心周波数と、所望チャネルの中心周波数との位置関係は、常に変わらないため、システムの中心周波数が決定されれば、所望チャネルの中心周波数も自動的に決定される。また、システムの中心周波数を基準とすることにより、折り返し回数や局部発振周波数の正負を変更し、スペクトルの向きを変更することができる。
【００５１】
図６は、本発明におけるプロセッサのフローチャートである。
【００５２】
第１のＲＦ帯域の所望信号の中心周波数ＦR1及び帯域幅Ｂ1と、第２のＲＦ帯域の所望信号の中心周波数ＦR2及び帯域幅Ｂ2とを初期値とする。尚、図６によれば、図４（ａ）の実施形態における処理ステップのみを表す。
【００５３】
（Ｓ６０１）例えば図４で前述した条件値を満たす、第１のＢＢ帯域の所望信号の中心周波数ＦBB1、第２のＢＢ帯域の所望信号の中心周波数ＦBB2及びサンプリング周波数Ｆsを任意に選択する。
ＦBB1−Ｂ1／２  ＞  ０
ＦBB1＋Ｂ1／２  ＜  ＦBB2−Ｂ2／２
ＦBB2＋Ｂ2／２  ＜  Ｆs／２
又は
ＦBB2−Ｂ2／２  ＞  ０
ＦBB2＋Ｂ2／２  ＜  ＦBB1−Ｂ1／２
ＦBB1＋Ｂ1／２  ＜  Ｆs／２
（Ｓ６０２）アンダーサンプリングにおける第１のＢＢ帯域の所望信号の折り返し回数Ｎ1と、第２のＢＢ帯域の所望信号の折り返し回数Ｎ2とを規定することによって、例えば図５で前述したように、第１の局部発振周波数ＦL01及び第２の局部発振周波数ＦL02を算出する。
ＦL01＝ＦR1±｛（Ｎ1＋１）／２×Ｆs-ＦBB1｝  （Ｎ1 mod ２ ≠ ０）
ＦR1±｛Ｎ1／２×Ｆs＋ＦBB1｝          （Ｎ1 mod ２ ＝ ０）
ＦL02＝ＦR2±｛（Ｎ2＋１）／２×Ｆs-ＦBB2｝  （Ｎ2 mod ２ ≠ ０）
ＦR2±｛Ｎ2／２×Ｆs＋ＦBB2｝          （Ｎ2 mod ２ ＝ ０）
（Ｓ６０３）第１の局部発振周波数ＦLO1及び第２の局部発振周波数ＦLO2をそれぞれ、第１の局部周波数発振器及び第２の局部周波数発振器へ指示する。
【００５４】
尚、前述した実施形態によれば、２つのシステム帯域又は所望信号に対するアンダーサンプリングについて説明したが、同時にサンプリングする帯域又は信号の数が３つ以上であっても、周波数変換部を増やすことによって勿論適用できる。
【００５５】
以上、詳細に説明したように、本発明の受信機、プログラム及び方法によれば、ＲＦ帯域をＩＦ帯域へ周波数変換し、そのＩＦ帯域をアンダーサンプリングすることによって、雑音指数の劣化又はサンプリングジッタの影響を軽減すると共に、ＩＦ帯域の信号に対する帯域通過フィルタの設計が容易となる。また、ＩＦ帯域へ周波数変換する際の局部発振周波数を制御することによって、アンダーサンプリング後の複数の所望信号が互いに重なることのない低いサンプリング周波数Ｆsを導出することができる。
【００５６】
現在、移動体通信システムとして、ＣＤＭＡ２０００ １ｘ及びＣＤＭＡ２０００ １ｘＥＶ−ＤＯが広く普及している。これに対し、今後、３．９Ｇの無線システムとしてのＬＴＥ(Long Term Evolution) 及びＵＭＢ(Ultra Mobile Broadband)の普及も見込まれている。本発明の受信機を用いることによって、例えばＥＶ−ＤＯとＵＭＢとの無線システムの受信処理を同時に実行することが可能となる。また、４Ｇの無線システムでは、最大１００ＭＨｚ幅の送信帯域の利用が想定されているが、周波数の割り当て状況によっては、連続した広帯域の確保が困難な場合がある。このような場合、セルラーシステムなどに割り当てられている複数の帯域において、既存システムが利用していないチャネルを同時に利用し、広帯域通信を実現するシステムが考えられる。本発明の受信機は同システムにも適用することが可能である。
【００５７】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【図面の簡単な説明】
【００５８】
【図１】従来技術における受信機の機能構成図である。
【図２】アンダーサンプリングを用いた場合における周波数成分のイメージ図である。
【図３】本発明における受信機の機能構成図である。
【図４】システム帯域同士又は所望信号同士が重ならないようにしたＢＢ帯域の変移図である。
【図５】本発明における周波数成分の変移図である。
【図６】本発明におけるプロセッサのフローチャートである。
【符号の説明】
【００５９】
１  受信機
１００  プロセッサ部、ＣＰＵ
１０１  アンテナ
１０２  帯域通過フィルタ、ＢＰＦ
１０３  低雑音増幅器、ＬＮＡ
１０４  Ａ／Ｄ変換器
１０５  サンプリングクロック生成部
１１１  局部周波数発振器
１１２  ミキサ
１１３  低域通過フィルタ
１１４  帯域通過フィルタ
２００  プロセッサ部、ＣＰＵ
２１０  第１の周波数変換部
２２０  第２の周波数変換部
２１１、２２１  局部周波数発振器
２１２、２２２  ミキサ
２１３、２２３  帯域通過フィルタ
【図１】
2010011375.tif 000003
【図２】
2010011375.tif 000004
【図３】
2010011375.tif 000005
【図４】
2010011375.tif 000006
【図５】
2010011375.tif 000007
【図６】
2010011375.tif 000008